(57)【特許請求の範囲】
【請求項１】
基盤上に突出形成された支点ピンと、
前記基盤上に配置されて前記支点ピンが挿し込まれ、前記支点ピンに規制されるまで前記支点ピン周りの回動を含めて前記基盤上を所定範囲移動可能な可動部と、
プレス金型側の複数の被接続具に対応して複数の接続具が一体的に設けられると共に前記可動部に接離移動可能に取り付けられ、前記可動部に対して離間する方向へ移動することにより前記プレス金型に接近して前記複数の接続具を前記複数の被接続具に同時に接続させて前記プレス金型をインターロックするヘッド部と、
前記ヘッド部と前記可動部とを連結し、前記可動部に対して前記ヘッド部を接離移動させる駆動手段と、
前記ヘッド部が前記可動部に対して離間する方向へ移動する際に、前記支点ピン周りに前記可動部を回動させつつ前記可動部を変移させて前記複数の接続具と前記複数の被接続具が接続可能な位置へ前記ヘッド部を誘導する誘導手段と、
を備えるプレス金型のインターロック接続装置。
【請求項２】
基盤上に所定範囲移動可能に載置された可動部と、
プレス金型側の複数の被接続具に対応して複数の接続具が一体的に設けられると共に前記可動部に接離移動可能に取り付けられ、前記可動部に対して離間する方向へ移動することにより前記プレス金型に接近して前記複数の接続具を前記複数の被接続具に同時に接続させて前記プレス金型をインターロックするヘッド部と、
前記ヘッド部と前記可動部とを連結し、前記可動部に対して前記ヘッド部を接離移動させる駆動手段と、
前記ヘッド部が前記可動部に対して離間する方向へ移動する際に前記可動部を変移させて前記複数の接続具と前記複数の被接続具が接続可能な位置へ前記ヘッド部を誘導する誘導手段と、
前記可動部を前記基盤上で固定するストッパと、
を備えるプレス金型のインターロック接続装置。
【発明の詳細な説明】
【０００１】
【発明の属する技術分野】
本発明は、プレス金型側のパイプやコネクタに他のホースやコネクタを接続させてプレス金型をインターロック状態とするためのプレス金型のインターロック接続装置に関する。
【０００２】
【従来の技術】
絞り成形等に使用されるプレス成形装置では、プレス成形用の金型を装置にセットした後に、金型の所定の位置に設けられた複数のエア注入口の各々にホースを接続する。これによって、装置外部のコンプレッサから金型へ向けてエアエジェクタ用の圧搾空気が送給され成形終了後のワーク（成形品）の抜き取りが容易となる。次いで、金型の所定の位置に設けられたコネクタにケーブルを接続する。これによって、金型上のワークの位置や金型に対するプレス荷重等を検知するための各種センサが作動可能となると共にインターロック状態となり、プレス成形加工が可能となる。
【０００３】
また、金型を交換する際には、ケーブルをコネクタから取り外してインターロック状態を解除し、次いで、各ホースをエア注入口から取り外した後に金型を交換し、再度、ホースやケーブルを金型に接続していた。
【０００４】
【発明が解決しようとする課題】
しかしながら、このように金型を交換する度にホースやケーブルの各々を個々に取り外し、また接続するといった作業は非常に煩雑であり、プレス成形作業における工数低減の弊害となっていた。また、金型交換時には作業者がプレス成形装置の傍らで作業を行うため、仮に、ホースやケーブルの接続順番を誤った場合等では装置が誤作動する可能性があり、危険性が高かった。
【０００５】
本発明は、上記事実を考慮して、金型交換時にエアホースやケーブル等を容易でかつ安全に交換でき作業時間の短縮を図ることができるプレス金型のインターロック接続装置を得ることが目的である。
【０００６】
【課題を解決するための手段】
請求項１記載のプレス金型のインターロック接続装置は、基盤上に突出形成された支点ピンと、前記基盤上に配置されて前記支点ピンが挿し込まれ、前記支点ピンに規制されるまで前記支点ピン周りの回動を含めて前記基盤上を所定範囲移動可能な可動部と、プレス金型側の複数の被接続具に対応して複数の接続具が一体的に設けられると共に前記可動部に接離移動可能に取り付けられ、前記可動部に対して離間する方向へ移動することにより前記プレス金型に接近して前記複数の接続具を前記複数の被接続具に同時に接続させて前記プレス金型をインターロックするヘッド部と、前記ヘッド部と前記可動部とを連結し、前記可動部に対して前記ヘッド部を接離移動させる駆動手段と、前記ヘッド部が前記可動部に対して離間する方向へ移動する際に、前記支点ピン周りに前記可動部を回動させつつ前記可動部を変移させて前記複数の接続具と前記複数の被接続具が接続可能な位置へ前記ヘッド部を誘導する誘導手段と、を備えている。
【０００７】
上記構成のプレス金型のインターロック接続装置では、駆動手段によってヘッド部を可動部に対して離間する方向へ移動させると、ヘッド部の複数の接続具がプレス金型側に設けられた複数の被接続具に同時に接続され、これらの接続具及び被接続具を介して空気や水が流通可能となり、また、電気が通電され、さらに、プレス金型がインターロック状態とされる。
【０００８】
ここで、プレス金型の交換等によってプレス金型側の被接続具がヘッド部の接続具に対して変移している場合には、ヘッド部がプレス金型へ向けて移動する際に、可動部に挿し込まれている支点ピン周りに誘導手段が可動部を回動させつつ可動部を変移させ、接続具と被接続具が接続可能に対向する位置までヘッド部が誘導される。このため、被接続具が接続具に対して変移した状態であっても確実に接続具と被接続具を接続できる。
【０００９】
請求項２記載のプレス金型のインターロック接続装置は、基盤上に所定範囲移動可能に載置された可動部と、プレス金型側の複数の被接続具に対応して複数の接続具が一体的に設けられると共に前記可動部に接離移動可能に取り付けられ、前記可動部に対して離間する方向へ移動することにより前記プレス金型に接近して前記複数の接続具を前記複数の被接続具に同時に接続させて前記プレス金型をインターロックするヘッド部と、前記ヘッド部と前記可動部とを連結し、前記可動部に対して前記ヘッド部を接離移動させる駆動手段と、前記ヘッド部が前記可動部に対して離間する方向へ移動する際に前記可動部を変移させて前記複数の接続具と前記複数の被接続具が接続可能な位置へ前記ヘッド部を誘導する誘導手段と、前記可動部を前記基盤上で固定するストッパと、を備えている。
【００１０】
上記構成のプレス金型のインターロック接続装置では、駆動手段によってヘッド部を可動部に対して離間する方向へ移動させると、ヘッド部の複数の接続具がプレス金型側に設けられた複数の被接続具に同時に接続され、これらの接続具及び被接続具を介して空気や水が流通可能となり、また、電気が通電され、さらに、プレス金型がインターロック状態とされる。
【００１１】
ここで、プレス金型の交換等によってプレス金型側の被接続具がヘッド部の接続具に対して変移している場合には、ストッパによる可動部の固定を解除した状態でヘッド部がプレス金型へ向けて移動する際に誘導手段が可動部を変移させ、接続具と被接続具が接続可能に対向する位置までヘッド部が誘導される。このため、被接続具が接続具に対して変移した状態であっても確実に接続具と被接続具を接続できる。
【００１２】
次いで、接続具と被接続具を接続できる状態で、ストッパにより可動部を基盤上に固定すると、接続具と被接続具を接続できる状態が維持される。
【００１３】
【発明の実施の形態】
図１には本発明の一実施の形態に係るインターロック接続装置１０が斜視図によって示されており、図２にはインターロック接続装置１０の平面図が示されている。
【００１４】
これらの図に示されるように、インターロック接続装置１０は基盤１２を備えている。この基盤１２は、金型１４から所定距離離間した位置に配置されており、また、基盤１２上には平板状の可動部１６が載置されている。この可動部１６の裏面（すなわち、基盤１２と対向する側の面）には、可動部１６の幅方向（図１及び図２の矢印Ｘ1 、Ｘ2 方向）に長手の長孔１８が形成されており、基盤１２上に突出形成された支点ピン２０が入り込んでいる。ここで、支点ピン２０の直径は長孔１８の短径に対応しており、可動部１６は支点ピン２０を軸に基盤１２上で回転可能であると共に、支点ピン２０が長孔１８の長手方向両端部に当接するまで基盤１２上を移動可能である。
【００１５】
また、この可動部１６の幅方向中央部には駆動手段としての駆動シリンダ２２が配置されている。この駆動シリンダ２２の内部にはピストン２４が金型１４側（すなわち、図１及び図２の矢印Ｙ1 方向）へ向けて突出した状態で収容されており、油圧等によって金型１４へ向けて移動可能とされている。
【００１６】
さらに、可動部１６の金型１４側にはヘッド部２６が配置されている。このヘッド部２６の金型１４側の幅方向中央部には、接続具としての雌型のコネクタ２８が設けられている。このコネクタ２８は、金型１４に設けられた被接続具としての雄型のコネクタ３０に係合接続可能とされている。また、このコネクタ２８は電気ケーブルを介して外部の電源（何れも図示省略）と接続されており、コネクタ２８とコネクタ３０が接続された状態では金型１４上のワーク（成形品）の位置を検知するためのセンサ（図示省略）等が作動すると共に金型１４がインターロック状態となり、プレス成形機（図示省略）が作動可能となる。
【００１７】
また、ヘッド部２６には複数のホース３２が取り付けられている。これらのホース３２はコネクタ２８を中心としてヘッド部２６の幅方向（図１及び図２の矢印Ｘ1 、Ｘ2 方向）に所定の間隔で互いに平行に配置されている。また、ホース３２の先端側はヘッド部２６を貫通して金型１４側に突出しており、先端部には接続具としての雌型のカプラ３４が取り付けられている。ここで、これらのカプラ３４は、金型１４側の通気パイプ３６の先端部に設けられた被接続具としての雄型のカプラ３８にそれぞれ対応しており、これらのカプラ３４とカプラ３８は係合接続可能とされている。ここで、これらのカプラ３４とカプラ３８は係合接続した状態では、ヘッド部２６側から金型１４側のカプラ６４に接続されたパイプ（図示省略）を介して金型１４側へ向けてコンプレッサ（図示省略）からのエアエジェクタ用の圧搾空気が漏れなく流れ、プレス成形終了後にはこの圧搾空気によってワークが抜き取られる構成である。また、これらのカプラ３４は、前述したコネクタ２８がコネクタ３０に係合接続すると同時にカプラ３８に係合接続するように設けられている。
【００１８】
さらに、図３及び図４に示されるように、ヘッド部２６の幅方向中央部にはＵ字状の切欠４０が形成されている。この切欠４０にはピストン２４の先端部に螺合した係合部材４２が嵌め込まれており、ピストン２４が駆動力を受けて駆動シリンダ２２から押し出され、或いは駆動シリンダ２２に引き込まれると、ヘッド部２６が金型１４に対して接離する如く（すなわち、図１及び図２の矢印Ｙ1 、Ｙ2 方向へ向けて）移動可能であり、また、ヘッド部２６がピストン２４によって押し出されることによって、コネクタ２８及び複数のカプラ３４とコネクタ３０及び複数のカプラ３８が係合接続する。
【００１９】
また、ここで、図４に示されるように、係合部材４２はヘッド部２６の切欠４０に若干の隙間を有した状態で嵌め込まれているため、ヘッド部２６が可動する際にヘッド部２６に作用するピストン２４の可動方向（図４の矢印Ｙ1 、Ｙ2 方向）に対して直交する方向（図４の矢印Ｘ1 、Ｘ2 方向）の力が０となり、ピストン２４が円滑に可動する。
【００２０】
さらに、可動部１６の幅方向両端側には、筒部としての一対のガイドブロック４４、４６が固定されている。これらのガイドブロック４４、４６の各々には、金型１４側へ向けて貫通した円孔４８が形成されており、これらの円孔４８にはガイドピン５０、５２が金型１４に対して接離する方向（すなわち、図１及び図２の矢印Ｙ1 、Ｙ2 方向）に摺動移動可能に収容されている。
【００２１】
これらのガイドピン５０、５２は、金型１４に形成された円形のガイド孔５４、５６と同径とされており、ガイド孔５４、５６に挿入可能とされている。また、これらのガイドピン５０、５２の先端側はヘッド部２６を貫通しており、ヘッド部２６の金型１４側に設けられた円柱状のストッパ５８によってヘッド部２６から突出した状態でヘッド部２６に係止されている。すなわち、駆動シリンダ２２のピストン２４が作動すると、ガイドピン５０、５２はヘッド部２６と一体的に金型１４に対して接離する如く移動する。さらに、これらのガイドピン５０、５２の先端側はコネクタ２８及び各カプラ３４よりも金型１４側（すなわち、図１及び図２の矢印Ｙ1 方向）へ向けて突出しており、ヘッド部２６がピストン２４によって押し出される際には、コネクタ２８と各カプラ３４が金型１４のコネクタ３０と各カプラ３８に接続するよりも先にガイドピン５０、５２がガイド孔５４、５６に挿入される。また、これらのガイドピン５０、５２は、ガイド孔５４、５６に同軸的に挿入されるとコネクタ２８と各カプラ３４がコネクタ３０と各カプラ３８に接続可能に対向する。さらに、これらのガイドピン５０、５２がガイド孔５４、５６に挿入されてコネクタ２８及び各カプラ３４がコネクタ３０及び各カプラ３８が係合接続した状態では、ストッパ５８の金型１４側の端面が金型１４の側壁１４Ａに当接してガイドピン５０、５２の各ガイド孔５４、５６へのそれ以上の進入を阻止する。
【００２２】
また、各ガイドピン５０、５２の先端には、テーパ部６０が形成されている。ここで、図５に示されるように、ガイドピン５０、５２がガイド孔５４、５６に対して非同軸的な状態で各ガイド孔５４、５６に挿入された場合には、ガイドピン５０、５２が金型１４の側壁１４Ａに当接することなく、これらのテーパ部６０を含めたガイドピン５０、５２の先端近傍部分がガイド孔５４、５６の内周面に当接する。
【００２３】
また、可動部１６の幅方向両端部には、請求項２に記載の本発明を構成するストッパに相等する一対のストッパ６２が設けられており、これらのストッパ６２によって可動部１６を基盤１２上の所定の位置で固定できる。
【００２４】
次に、本インターロック接続装置１０の作用について説明する。
金型１４を所定の位置に設置した状態で駆動シリンダ２２のピストン２４を金型１４へ向けて押し出すと、ヘッド部２６が金型１４へ向けて移動されて、先ず、各ガイドピン５０、５２が各ガイド孔５４、５６に挿入される。
【００２５】
ここで、図６に示されるように、金型１４の交換時にθのズレ角で金型１４が設置された場合には、ストッパ６２を取り除いて可動部１６を可動状態として、ヘッド部２６を金型１４へ向けて移動させると、図５の実線で示されるように、各ガイドピン５０、５２のテーパ部６０が各ガイド孔５４、５６の内周面に当接する。この状態で、更にヘッド部２６を金型１４へ向けて押し出すと、テーパ部６０を含めたガイドピン５０、５２の外周面がガイド孔５４、５６の内周面に当接し、このときの反力によって各ガイドピン５０、５２の挿入軌道が補正されて、図５の二点鎖線で示されるように、各ガイドピン５０、５２と各ガイド孔５４、５６の軸芯が一致する。また、各ガイドピン５０、５２の挿入軌道が補正される際には、各ガイドピン５０、５２の後端側が各ガイドブロック４４、４６の円孔４８の内周面を押圧し、この押圧力によって、図７に示されるように、支点ピン２０を軸に可動部１６が変移される。この状態では、ヘッド部２６が金型１４の側壁１４Ａと対向して、コネクタ２８及び各カプラ３４とコネクタ３０及び各カプラ３８が係合接続可能に対向する。
【００２６】
次いで、この状態から更にピストン２４を押し出してヘッド部２６を金型１４へ向けて移動させると、図８に示されるように、ヘッド部２６のコネクタ２８及び各カプラ３４が、金型１４のコネクタ３０及び各カプラ３８に同時に係合接続してインターロック状態となる。また、この状態では各ストッパ５８が金型１４の側壁１４Ａに当接して各ガイドピン５０、５２の各ガイド孔５４、５６への進入が阻止される。これによって、コネクタ２８及び各カプラ３４とコネクタ３０及び各カプラ３８が必要以上の押圧力で係合接続されることなく、コネクタ２８、３０及び各カプラ３４、３８の破損等を防止できる。
【００２７】
以上、説明したように、本インターロック接続装置１０では、コネクタ２８及び各カプラ３４（ホース３２）とコネクタ３０及び各カプラ３８（通気パイプ３６）を同時に係合接続でき、金型交換に要する作業時間を大幅に短縮できる。
【００２８】
また、プレス成形機から離れた場所でコネクタ２８及び各カプラ３４（ホース３２）の接続作業ができるため、作業者は安全に接続作業ができる。
【００２９】
さらに、金型１４の交換時に金型１４がヘッド部２６に対して変移した状態で設置されても、金型１４のズレ角θに応じて可動部１６が自動的に変移するため、金型１４を交換する際の金型１４の位置をヘッド部２６に対して厳格に調整する必要はない。したがって、容易に金型１４を交換でき、これに伴う作業時間を大幅に短縮できる。
【００３０】
なお、本実施の形態では、電気を通電させるためのコネクタ２８、３０とエアエジェクション用の圧搾空気を流通させるためのカプラ３４、３８を同時に接続させるためのインターロック接続装置１０について説明したが、接続して流通させる媒体（すなわち、流体）はこれに限るものではなく、金型１４を冷却するための冷水等を流すためのパイプやホースを接続させても構わない。
【００３１】
【発明の効果】
以上、説明したように、本発明に係るプレス金型のインターロック接続装置では、プレス金型側の複数の被接続具に対応した複数の接続具を正確に、しかも同時に接続でき、接続具の交換接続作業に要する作業時間を大幅に短縮できる。また、接続具の交換接続作業をプレス成形機から離れた場所で行えるため、交換接続作業における安全性を向上できる。さらに、被接続具が接続具に対して変移した状態であっても、被接続具に接続具を確実に接続できるため、プレス金型の交換作業等において被接続具の位置調整を厳格に行う必要はなく、プレス金型の交換作業等が極めて容易となり、しかも作業時間を大幅に短縮できる。
【図面の簡単な説明】
【図１】本発明の一実施の形態に係るプレス金型のインターロック接続装置の斜視図である。
【図２】本発明の一実施の形態に係るプレス金型のインターロック接続装置の平面図である。
【図３】ピストンとヘッド部の連結部分近傍を拡大した斜視図である。
【図４】ピストンとヘッド部の連結部分近傍を拡大した平面断面図である。
【図５】ガイドピンの先端部（テーパ部）がガイド孔に進入した直後の状態を示す拡大平面図である。
【図６】ヘッド部に対して金型が変移した状態を示す図２に対応した平面図である。
【図７】図６図示状態からガイドピンがガイド孔に完全に挿入された状態を示す平面図である。
【図８】図７図示状態からコネクタ及びカプラが係合接続した状態を示す平面図である。
【符号の説明】
１０      インターロック接続装置
１２      基盤
１４      金型（プレス金型）
１６      可動部
２２      駆動シリンダ（駆動手段）
２６      ヘッド部
２８      コネクタ（接続具）
３０      コネクタ（被接続具）
３４      カプラ（接続具）
３８      カプラ（被接続具）
４４      ガイドブロック（筒部）
４６      ガイドブロック（筒部）
５０      ガイドピン
５２      ガイドピン
５４      ガイド孔
５６      ガイド孔
６０      テーパ部
６２      ストッパ
【図１】
0003816981.tif 000002
【図２】
0003816981.tif 000003
【図３】
0003816981.tif 000004
【図４】
0003816981.tif 000005
【図５】
0003816981.tif 000006
【図６】
0003816981.tif 000007
【図７】
0003816981.tif 000008
【図８】
0003816981.tif 000009